(57)【要約】【課題】  杖使用者が状況に応じて幅広脚指状態と一本棒状態を切り替えて使用できる杖を提供することを目的としている。【解決手段】  杖１を地面から離し開閉操作部９を握り上げると第１シャフト１０とともに脚指カバー１４が上がり、引っ張りコイルバネ１２の引張り付勢力により第２シャフトが引っ張られて上昇し、この上昇に伴い開閉棒１７ａ、１７ｂ、１７ｃ、１７ｄが横向きへと回動して行き脚指６ａ、６ｂ、６ｃ、６ｄを開いて行く。【選択図】図１
2005176983.tif 000002
【特許請求の範囲】
【請求項１】
握り部と、この握り部の下部に固定された棒部と、この棒部の下部に設けられた２本以上の脚指からなる開脚指部と、前記各脚指を開閉動作させるための開閉機構部と、この開閉機構部を操作するための開閉操作部とからなり、前記各脚指を閉じ状態のまま前記棒部の石突部あるいは該脚指の石突部で地面を突いて使用でき、且つ、開き状態のまま該脚指の石突部で地面を突いて使用できるようにしてなることを特徴とする杖。
【請求項２】
開閉動作機構を動作させて各脚指を開閉動作するための開閉操作部を握り部側に設け、前記開閉動作機構と前記開閉操作部を連絡するシャフトやワイヤなどの操作連絡部を設け、前記開閉操作部の操作により前記各脚指の開閉操作が行えるようにしてなることを特徴とする請求項１記載の杖。
【請求項３】
開閉操作部の操作を握り部を握る手のみで該握り部に手を当てた状態で行える構成であることを特徴とする請求項１、２いずれか記載の杖。
【発明の詳細な説明】
【技術分野】
【０００１】
本発明は杖、ステッキ、スキーストックなどの杖に関する。
【背景技術】
【０００２】
従来、一本の棒のみからなる杖の使用では不安定であるなどの不具合を解消できない人向けに、杖棒の下部に平板部材を設けその四隅に固定した４本の脚指を設けてなる杖が知られている。
【０００３】
したがって、４つ脚指は幅広に固定された形態であるので、人混みの中などでは人の脚に当ったり歩行者が引っ掛かったり躓いたりするという欠点があり、広い４つ脚指は目障りで人前では格好が悪いという欠点があった。
【発明の開示】
【発明が解決しようとする課題】
【０００４】
本発明は以上のような従来技術の欠点に鑑み、杖使用者が状況に応じて幅広脚指状態と一本棒状態を切り替えて使用できる杖を提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００６】
上記目的を達成するために本発明は、握り部と、この握り部の下部に固定された棒部と、この棒部の下部に設けられた２本以上の脚指からなる開脚指部と、前記各脚指を開閉動作させるための開閉機構部と、この開閉機構部を操作するための開閉操作部とで、前記各脚指を閉じ状態のまま前記棒部の石突部あるいは該脚指の石突部で地面を突いて使用でき、且つ、開き状態のまま該脚指の石突部で地面を突いて使用できるようにしてなる杖を構成している。
【発明の効果】
【０００７】
以上の説明から明らかなように、本発明にあっては次に列挙する効果が得られる。
【０００８】
杖使用者が状況に応じて幅広脚指状態と一本棒状態を切り替えて使用できる杖を実現するという効果を得ることができる。
【発明を実施するための最良の形態】
【０００９】
以下、図面に示す本発明を実施するための最良の形態により、本発明を詳細に説明する。
【００１０】
図１ないし図３に示す本発明を実施するための最良の第１の実施の形態において１は杖であって、この杖１は握り部位２、この握り部位２に該２とコの字を描くように設けられた棒固定部３とからなる握り部４と、前記棒固定部３に上部を固定された棒部５と、この棒部５の下部に設けられた放射状に開く４本の脚指６ａ、６ｂ、６ｃ、６ｄからなる開脚指部７と、脚指６ａ、６ｂ、６ｃ、６ｄを開閉動作させるための開閉機構部８と、この開閉機構部８を操作するための握り部位２を握った手で該２に手を当てた状態で指を掛け引き上げ操作できる開閉操作部９と、この開閉操作部６と開閉機構部８を連絡する第１シャフト１０、開閉機構部８から延びた第２シャフト１１、第１シャフト１０と第２シャフト１１を連絡する引っ張りコイルバネ１２とからなる操作連絡部１３と、第１シャフト１０に固定されて該１０の昇降と一体に昇降する開脚指部７が閉じ状態では該７を覆う筒状の脚指カバー１４とからなっている。
案内孔１５ａ、１５ｂは第１シャフト１０と脚指カバー１４を連結する連結部材１６を案内するためのものである。
握り部位２は下部が握り易く滑り難くし且つ力が入るように凸凹に形成され、開閉操作部９はこの凸凹に重なるように上下が凸凹形態に形成され、握り部２と開閉操作部９を一体的に握った状態でも使用感を損なわないようになっている。
脚指６ａ、６ｂ、６ｃ、６ｄは棒部５の下部の支持部１９に上部をそれぞれ回動自在に支持されている。
開閉機構部８は上端を脚指６ａ、６ｂ、６ｃ、６ｄに軸支され、且つ、下端を第２シャフト１１の下部に固定された支持部１８と該１８に軸支された開閉棒１７ａ、１７ｂ、１７ｃ、１７ｄからなっている。
【００１１】
杖１を地面から離し開閉操作部９を握り上げると第１シャフト１０とともに脚指カバー１４が上がり、引っ張りコイルバネ１２の引張り付勢力により第２シャフトが引っ張られて上昇し、この上昇に伴い開閉棒１７ａ、１７ｂ、１７ｃ、１７ｄが横向きへと回動して行き脚指６ａ、６ｂ、６ｃ、６ｄを開いて行く。
握り部位２と開閉操作部９を握ったままで突くことにより、脚指６ａ、６ｂ、６ｃ、６ｄを開いた状態のまま使用することができる。
開閉操作部９を離すことにより第１シャフト１０および脚指カバー１４と第２シャフト１１は引張りコイルバネ１２に引っ張られて自動的に閉じ動作して脚指６ａ、６ｂ、６ｃ、６ｄは閉じ状態になり、一本の棒杖としてそのまま使用できる。
【００１２】
（発明を実施するための異なる形態）
次に、図４ないし図１３に示す本発明を実施するための異なる形態について説明する。なお、これら本発明を実施するための異なる形態の説明に当たって、本発明を実施するための最良の第１の実施の形態と同一構成部分には同一符号を付して重複する説明を省略する。
【００１３】
図４ないし図７に示す本発明を実施するための最良の第２の実施の形態において２２は杖であって、この杖２２は握り部位２、この握り部位２に該２とコの字を描くように設けられた棒固定部３とからなる握り部４と、前記棒固定部３に上部を固定された棒部５と、この棒部５の下部に設けられた放射状に開く４本の脚指６ａ、６ｂ、６ｃ、６ｄからなる開脚指部７と、脚指６ａ、６ｂ、６ｃ、６ｄを開閉動作させるための開閉機構部２３と、この開閉機構部２３を操作するための握り部位２と棒固定部３の間に設けた押し下げボタンからなる開閉操作部２４と、この開閉操作部２４と支持部１８を連絡するシャフトからなる操作連絡部２５と、この操作連絡部２５に反発付勢力を与える該２５に固定されたバネ抑え部２６と棒部５内に設けられたバネ受け部２７の間に付設された圧縮コイルバネ２８とからなっている。
棒部５の下方には脚指６ａ、６ｂ、６ｃ、６ｄと開閉棒１７ａ、１７ｂ、１７ｃ、１７ｄが出入する出入口２９ａ、２９ｂ、２９ｃ、２９ｄが形成されている。
脚指６ａ、６ｂ、６ｃ、６ｄは棒部５の下部の支持部１９に上部をそれぞれ回動自在に支持されている。
開閉機構部２３は下端を脚指６ａ、６ｂ、６ｃ、６ｄに軸支され、且つ、上端を操作連絡部２５の下部に固定された支持部１８と該１６に軸支された開閉棒１７ａ、１７ｂ、１７ｃ、１７ｄからなっている。棒部５の開閉操作部２５の直ぐ下にはキー溝３０が設けられ、棒固定部３には圧縮コイルバネ３１で押し出し付勢されたキーボタン３２が設けられ、キーボタン３２にはキー溝３０に填まる突起キー３３が設けられている。
【００１４】
開閉操作部２４を押し下げると、操作連絡部２５は支持部１８を押し下げて開閉棒１７ａ、１７ｂ、１７ｃ、１７ｄを横向きにして脚指６ａ、６ｂ、６ｃ、６ｄを開くとともに、キー溝３０に突起キー３３が填まり操作連絡部２５はそこで固定され、脚指６ａ、６ｂ、６ｃ、６ｄの開き状態は固定される。
キーボタン３３を押し操作すると突起キー３３はキー溝３０から外れ、圧縮コイルバネ２８の反パス付勢力で操作連絡部は押し上げられ脚指脚指６ａ、６ｂ、６ｃ、６ｄは閉じ状態となる。
【００１５】
図８に示す本発明を実施するための最良の第３の実施の形態において３５は杖であって、この杖３５は握り部３６と、この握り部３６の下部に固定された開閉操作部でもある棒部５と、この棒部５の下方中途に固定された支持部１８と、棒部５を通して該５上を移動可能に設けられた筒状部材からなる脚指支持体３７と、この脚指支持体３７の下部に設けられた支持部３８と、脚指支持体３７の上部に設けられた該３７を棒部５に動かないように固定したり該固定を解除して移動可能にしたりする手で握りまわして棒部５を締め付けるチャック３９と、支持部３８に上部をかいど自在に軸支された脚指６ａ、６ｂとからなる開脚指部７と、脚指６ａ、６ｂに下端を軸支し且つ上端を支持部１８に軸してなる開閉棒１７ａ、１７ｂとからなっている。
【００１６】
チャック３９を緩め脚指支持体３７を上げ棒部５を下げると支持部１８が相対的に下がり移動して開閉棒１７ａ、１７ｂを横向きにして行き脚指６ａ、６ｂを開いて行く。適当な開きとなったらチャック３９を締め開き状態を固定する。
棒部５の先端の石突４０が地面につく状態が最高の脚指の開き状態であるが、それ以内の開き状態は使用者が好みで自由に決めることができる。
【００１７】
図９に示す本発明を実施するための最良の第４の実施の形態において前記本発明を実施するための最良の第３の実施の形態と主に異なる点は、握り部３６と棒部５を分離し、握り部３６に筒体からなり棒部５を移動可能に挿入してなる長さ調節部４２を設け、この長さ調節部４２にチャック３９と同構成のチャック４３を設けてなる杖４４を形成した点にある。
長さ調節部４２により開閉脚指部７の開閉状態も含めて使用者にあった杖の長さに調節できる。
【００１８】
図１０に示す本発明を実施するための最良の第５の実施の形態において４６は杖であって、この杖４６は握り部３６（図示せず）と、棒部５と、この棒部５の上方で移動可能に該５を挿入してなる握り部３６に上部を固定された筒体からなる長さ調節部４２と、この長さ調節部４２の下端に設けられたチャック４３と、棒部５の下方で移動可能に該５を挿入してなる筒体からなる開閉操作部４７と、この開閉操作部４７内側の中程に上部端を回動可能に軸支されてなる略くの字形態（内股形態）の脚指４８ａ、４８ｂ、４８ｃからなる開閉脚指部４９と、脚指４８ａ、４８ｂ、４８ｃの中程にその上端を回動自在に軸支してなる開閉棒１７ａ、１７ｂ、１７ｃと、この開閉棒１７ａ、１７ｂ、１７ｃの下端を回動自在に軸支してなる支持部１８と、この支持部１８を下部に固定し且つ上部を開閉操作部４７の内部に固定された固定部５３に上端を固定してなる開閉棒１７ａ、１７ｂ、１７ｃを開閉動作させる開閉動作棒５０と、棒部５の下方側部の脚指４８ａ、４８ｂ、４８ｃの閉じ位置と開き位置を決める部位に設けられたピン嵌込孔５１ａ、５１ｂと、開閉操作部４７の上部に設けられたピン嵌込孔５１ａ、５１ｂに填まる停止ピン５２とからなっている。
【００１９】
停止ピン５２を外側に引き移動させ、開閉操作部４７を上げると該４７と一体的に動作する開閉動作棒５０が引き上げられ、該５０に固定されている支持部１８が上昇し、該１８に下端を軸支されている開閉棒１７ａ、１７ｂ、１７ｃが横向きになって行き、該１７ａ、１７ｂ、１７ｃの上先端が軸支されている脚指４８ａ、４８ｂ、４８ｃが開いて行き、ピン嵌込孔５１ａに停止ピン５２に位置に行ったら該５２を該５１ａに押込み嵌め、脚指４８ａ、４８ｂ、４８ｃの開き状態を固定する。
開閉棒１７ａ、１７ｂ、１７ｃが真横になる位置がピン嵌込孔５１ａに停止ピン５２が重なる位置となっているので、脚指４８ａ、４８ｂ、４８ｃを開き地面に置いて抑え該４８ａ、４８ｂ、４８ｃを一杯に開いた状態が開閉棒１７ａ、１７ｂ、１７ｃが真横になる位置であるので、位置合わせが容易である。
【００２０】
図１１および図１２に示す本発明を実施するための最良の第６の実施の形態において前記本発明を実施するための最良の第４の実施の形態と主に異なる点は、脚指を脚指４８ａ、４８ｂとし、脚指４８ａ、４８ｂの閉じ状態において棒部５の先端が脚指４８ａ、４８ｂの先端より下方に長くした構成とし、この棒部５の脚指４８ａ、４８ｂの先端より下方に支持部１８を固定して設け、この支持部１８に開閉棒１７ａ、１７ｂの下先端を軸支し、この開閉棒１７ａ、１７ｂの上先端を脚指４８ａ、４８ｂに軸支してなる杖５５を形成した点にある。
図１２に示すように、脚指４８ａ、４８ｂの開閉状態を好みの状態を選んで固定することできる。
脚指は図面上機構を分かり易くするために２本で説明しているが、３本あるいは４本を放射状に設けなるものがよい。
【００２１】
図１３に示す本発明を実施するための最良の第７の実施の形態において６０は杖であって、この杖６０は握り部３６と、この握り部３６に上部を固定下げ設けられた長さ調節部４２と、この長さ調節部４２の下端に設けられたチャック４３と、長さ調節部４２の挿入された棒部５と、この棒部５を下側から挿入して設けられた中空の脚指収納体６１と、この脚指収納体６１の下先端に設けられた石突４０と、脚指収納体６１の下半分程度で側部に設けられた縦孔形態の開閉棒１７ａ、１７ｂを出入する出入孔６２ａ、６２ｂと、棒部５の下先端に固定された支持部３８と、脚指収納体６１の下方内部に固定された支持部１８と、支持部３８に上部先端を軸支され下げられた脚部４８ａ、４８ｂとからなる開閉脚指部４９と、脚指部４８ａ、４８ｂの中途に上部端を軸支且つ下部端を支持部１８に軸支してなる開閉棒１７ａ、１７ｂとからなっている。
【００２２】
チャック３９を緩め棒部５を下降させると該５に固定されている支持部３８が一体となって下降するので脚部４８ａ、４８ｂを押し下げられ開閉棒１７ａ、１７ｂのツッパリ機構により開閉棒１７ａ、１７ｂの横向きが進んで行き開閉棒１７ａ、１７ｂは開脚して行く。好みの開脚が得られたらチャック３９を締め付け固定し、チャック４３を緩め杖全体の長さを調節し該４３を締め付け好みの長さを固定する。
【産業上の利用可能性】
【００２３】
本発明は杖を製造する産業で利用される。
【図面の簡単な説明】
【００２４】
【図１】本発明を実施するための最良の第１の実施の形態の動作図。
【図２】図１の閉じ状態の部分拡大断面図。
【図３】図２の開脚状態図。
【図４】本発明を実施するための最良の第２の実施の形態の動作図。
【図５】図４の握り部の拡大断面図。
【図６】図４の閉じ状態の部分拡大断面図。
【図７】図６の開脚状態図。
【図８】本発明を実施するための最良の第３の実施の形態の動作図。
【図９】本発明を実施するための最良の第４の実施の形態の動作図。
【図１０】本発明を実施するための最良の第５の実施の形態の動作図。
【図１１】本発明を実施するための最良の第６の実施の形態の動作図。
【図１２】図１１の他の開脚状態図。
【図１３】本発明を実施するための最良の第７の実施の形態の動作図。
【符号の説明】
【００２５】
１：杖、                                ２：握り部位、
３：棒固定部、                          ４：握り部、
５：棒部、          ６ａ、６ｂ、６ｃ、６ｄ：脚指、
７：開脚指部、                        ８：開閉機構部、
９：開閉操作部、                      １０：第１シャフト、
１１：第２シャフト、                  １２：引っ張りコイルバネ、
１３：操作連絡部、                    １４：脚指カバー、
１５ａ、１５ｂ：案内孔                １６：連結部材
１７ａ、１７ｂ、１７ｃ、１７ｄ：開閉棒、
１８：支持部、                        １９：支持部、
２２：杖、                            ２３：開閉機構部、
２４：開閉操作部、                    ２５：操作連絡部、
２６：バネ抑え部、                    ２７：バネ受け部、
２８：圧縮コイルバネ、
２９ａ、２９ｂ、２９ｃ、２９ｄ：出入口、
３０：キー溝、                        ３１：圧縮コイルバネ、
３２：キーボタン、                    ３３：突起キー、
３５：杖、                            ３６：握り部、
３７：脚指支持体、                    ３８：支持部、
３９：チャック、                      ４０：石突、
４２：長さ調節部、                    ４３：チャック、
４４：杖、                            ４６：杖、
４７：開閉操作部、  ４８ａ、４８ｂ、４８ｃ：脚指、
４９：開閉脚指部、                    ５０：開閉動作棒、
５１ａ、５１ｂ：ピン嵌込孔、          ５２：停止ピン、
５３：固定部、                        ６０：杖、
６１：脚指収納体、          ６２ａ、６２ｂ：出入孔。
【図１】
2005176983.tif 000003
【図２】
2005176983.tif 000004
【図３】
2005176983.tif 000005
【図４】
2005176983.tif 000006
【図５】
2005176983.tif 000007
【図６】
2005176983.tif 000008
【図７】
2005176983.tif 000009
【図８】
2005176983.tif 000010
【図９】
2005176983.tif 000011
【図１０】
2005176983.tif 000012
【図１１】
2005176983.tif 000013
【図１２】
2005176983.tif 000014
【図１３】
2005176983.tif 000015